【手続補正書】
【提出日】平成30年6月7日(2018.6.7)
【手続補正１】
【補正対象書類名】特許請求の範囲
【補正対象項目名】全文
【補正方法】変更
【補正の内容】
【特許請求の範囲】
【請求項１】
方法であって、
タッチ感知ディスプレイを有する電子装置において、
第１の時計文字盤を有するユーザインターフェースを前記タッチ感知ディスプレイ上に表示することであって、前記第１の時計文字盤が時刻を示すユーザインターフェースオブジェクトを含む、表示することと、
前記タッチ感知ディスプレイへの接触を検出することと、前記接触の検出に応じて、
前記電子装置の時計文字盤選択モードに入ることと、
前記表示された第１の時計文字盤を、前記時計文字盤選択モードを示すように視覚的に区別することであって、前記表示された第１の時計文字盤が前記ディスプレイ上の中央に配置されていることと、
前記時計文字盤選択モードである間に、前記タッチ感知ディスプレイ上でのスワイプを検出することと、前記スワイプの検出に応じて、
第２の時計文字盤を前記ディスプレイ上の中央に配置することと、
を含む方法。
【請求項２】
前記タッチ感知ディスプレイが複数の接触の強度を検出するように構成されており、前記接触が特徴的な強度を有し、前記方法が、
前記接触の検出に応じて、前記特徴的な強度が強度しきい値を超えているか否かを判定することと、
前記特徴的な強度が前記強度しきい値を超えているという判定に従い、
前記電子装置の前記時計文字盤選択モードに入ることと、
を更に含む、請求項１に記載の方法。
【請求項３】
前記表示された第１の時計文字盤を、前記時計文字盤選択モードを示すように視覚的に区別することが、前記表示された第１の時計文字盤の大きさを縮小することを含む、請求項１又は２に記載の方法。
【請求項４】
前記第１及び前記第２の時計文字盤が複数の時計文字盤のうちの時計文字盤であり、前記複数の時計文字盤が、少なくとも前記第１及び前記第２の時計文字盤を含む、請求項１から３のいずれか一項に記載の方法。
【請求項５】
前記電子装置の前記時計文字盤選択モードに入ることが、
前記複数の時計文字盤のうちの少なくとも前記第１及び前記第２の時計文字盤を表示することであって、前記表示された複数の時計文字盤が、縮小された大きさで表示され、かつ時計文字盤のシーケンスで配置され、前記シーケンス中の現在中央に配置されていない複数の時計文字盤が、部分的なビューとして表示されることを更に含む、請求項４に記載の方法。
【請求項６】
前記第２の時計文字盤が、時計文字盤の前記シーケンスで前記第１の時計文字盤の後に配置されており、前記第２の時計文字盤を前記ディスプレイ上の中央に配置することが、
スクリーン上の前記第１の時計文字盤を移動させることと、
前記第１の時計文字盤の部分的なビューを表示することと、
を含む、請求項５に記載の方法。
【請求項７】
前記第２の時計文字盤を前記ディスプレイ上の中央に配置することが、
前記第２の時計文字盤を前記表示されたユーザインターフェーススクリーン上に移動させることと、
前記第１の時計文字盤を前記表示されたユーザインターフェーススクリーン外に移動させることと、
を含む、請求項１から４のいずれか一項に記載の方法。
【請求項８】
前記第２の時計文字盤を前記ディスプレイ上の中央に配置することが、前記ディスプレイ上のユーザへと向かう前記第２の時計文字盤の動きをシミュレートすることを含む、請求項１から７のいずれか一項に記載の方法。
【請求項９】
前記第２の時計文字盤を前記ディスプレイ上の中央に配置した後に、
前記表示された第２の時計文字盤への接触を検出することと、前記接触の検出に応じて、
前記時計文字盤選択モードから出ることと、
前記タッチ感知ディスプレイ上に、前記第２の時計文字盤を含む第２のユーザインターフェーススクリーンを表示することと、
を更に含む、請求項１から８のいずれか一項に記載の方法。
【請求項１０】
前記第１の時計文字盤が第１の既存の時計文字盤であり、前記第２の時計文字盤が第２の既存の時計文字盤であり、
前記方法はさらに、
前記時計文字盤選択モードに入った後に、
前記タッチ感知ディスプレイ上での第２のスワイプを検出することと、前記第２のスワイプの検出に応じて、
時計文字盤生成アフォーダンスを前記ディスプレイ上の中央に配置することと、
前記表示された時計文字盤生成アフォーダンス上での接触を検出することと、前記接触の検出に応じて、
前記第１の既存の時計文字盤および前記第２の既存の時計文字盤に加えて、第１の新たな時計文字盤を生成することと、
前記第１の新たな時計文字盤を表示することであって、前記第１の新たな時計文字盤が前記ディスプレイ上の中央に配置されることと、
を更に含む、請求項１から９のいずれか一項に記載の方法。
【請求項１１】
前記時計文字盤選択モードに入った後、かつ前記第２のスワイプを検出する前に、
前記時計文字盤生成アフォーダンスの少なくとも部分的なビューを、前記ユーザインターフェーススクリーン上に表示することを更に含む、請求項１０に記載の方法。
【請求項１２】
前記時計文字盤選択モードに入った後に、
前記タッチ感知ディスプレイ上での第３のスワイプを検出することと、前記第３のスワイプの検出に応じて、
ランダム時計文字盤生成アフォーダンスを前記ディスプレイ上の中央に配置することと、
前記表示されたランダム時計文字盤生成アフォーダンス上での接触を検出することと、前記接触の検出に応じて、
第２の新たな時計文字盤を生成することであって、前記第２の新たな時計文字盤がランダムに生成されることと、
前記第２の新たな時計文字盤を表示することであって、前記第２の新たな時計文字盤が前記ディスプレイ上の中央に配置されることと、
を更に含む、請求項１から１１のいずれか一項に記載の方法。
【請求項１３】
前記第２の新たな時計文字盤が、前記第１の既存の時計文字盤、前記第２の既存の時計文字盤及び前記第１の新たな時計文字盤とは異なる、請求項１２に記載の方法。
【請求項１４】
前記時計文字盤選択モードに入った後、かつ前記第３のスワイプを検出する前に、
前記ランダム時計文字盤生成アフォーダンスの少なくとも部分的なビューを、前記ユーザインターフェーススクリーン上に表示することを更に含む、請求項１２又は１３に記載の方法。
【請求項１５】
前記第１の既存の時計文字盤、前記第２の既存の時計文字盤、前記第１の新たな時計文字盤又は前記第２の新たな時計文字盤を中央に配置することが、
前記中央に配置された時計文字盤外周の輪郭を目に見えるように区別することを更に含む、請求項１から１４のいずれか一項に記載の方法。
【請求項１６】
前記中央に配置された時計文字盤外周の前記輪郭を、前記輪郭のリズミカルな拡張及び収縮を描出するようにアニメーション化することを更に含む、請求項１５に記載の方法。
【請求項１７】
前記第１の既存の時計文字盤、前記第２の既存の時計文字盤、前記第１の新たな時計文字盤又は前記第２の新たな時計文字盤を中央に配置することが、
前記中央に配置された時計文字盤を、前記中央に配置された時計文字盤のリズミカルな拡張及び収縮を描出するようにアニメーション化することを更に含む、請求項１から１６のいずれか一項に記載の方法。
【請求項１８】
前記第１の既存の時計文字盤、前記第２の既存の時計文字盤、前記第１の新たな時計文字盤又は前記第２の新たな時計文字盤を中央に配置することが、
前記中央に配置された時計文字盤を、前記中央に配置された時計文字盤の点滅を描出するようにアニメーション化することを更に含む、請求項１から１７のいずれか一項に記載の方法。
【請求項１９】
前記第１の既存の時計文字盤、前記第２の既存の時計文字盤、前記第１の新たな時計文字盤又は前記第２の新たな時計文字盤が前記ディスプレイ上の中央に配置され、前記中央に配置された時計文字盤が第１の画像の表現を備え、前記方法が、
前記表示された表現への接触を検出することと、前記表示された表現への前記接触の検出に応じて、
前記ディスプレイ上に第２のユーザインターフェーススクリーンを表示することであって、前記第２のユーザインターフェーススクリーンが、
前記第１の画像に基づく背景と、
日付を示す第１のユーザインターフェースオブジェクトと、
時刻を示す第２のユーザインターフェースオブジェクトと、
を備える、ことと、
を更に含む、請求項１から１８のいずれか一項に記載の方法。
【請求項２０】
前記装置が回転可能入力機構を備え、前記方法が、
前記第２のユーザインターフェーススクリーンを表示している間に、前記回転可能入力機構の第１の回転方向の動きを検出することと、前記動きの検出に応じて、
前記ディスプレイ上に第２の画像を表示することであって、前記第２の画像が、前記第１の画像に基づくクロップされた画像であることと、
を更に含む、請求項１９に記載の方法。
【請求項２１】
前記タッチ感知ディスプレイ上での第２の接触を検出することであって、前記第２の接触が第２の特徴的な強度を有する、ことと、前記第２の接触の検出に応じて、
前記第２の特徴的な強度が第２の強度しきい値を超えているか否かを判定することと、
前記第２の特徴的な強度が前記第２の強度しきい値を超えているという判定に従い、
前記ディスプレイ上に第３のユーザインターフェーススクリーンを表示することと、を更に含み、前記第３のユーザインターフェーススクリーンが、
前記第２の画像に基づく第２の背景と、
日付を示す第３のユーザインターフェースオブジェクトと、
時刻を示す第４のユーザインターフェースオブジェクトと、
を備える、請求項２０に記載の方法。
【請求項２２】
前記第２の特徴的な強度が前記第２の強度しきい値を超えていないという判定に従い、
前記表示された第２の画像を更新することを更に含み、前記更新することが、
前記ディスプレイ上で前記第２の画像を移動させることと、
前記第２の画像をクロップすることと、
前記第２の画像をズームすることと、
のうちの１つ以上を含む、請求項２１に記載の方法。
【請求項２３】
前記第２のユーザインターフェーススクリーンを表示している間に、前記回転可能入力機構の第２の回転方向の動きを検出することであって、前記第２の回転方向が前記第１の回転方向とは異なる、ことと、前記第２の動きの検出に応じて、
前記第２のユーザインターフェーススクリーンを第３のユーザインターフェーススクリーンと置き換えることであって、前記第３のユーザインターフェーススクリーンが２つ以上の画像を含む、ことと、
を更に含む、請求項２０から２２のいずれか一項に記載の方法。
【請求項２４】
ページングアフォーダンスを前記第１のユーザインターフェーススクリーン上に表示することを更に含み、前記ページングアフォーダンスが、前記現在中央に配置されている時計文字盤、文字盤のシーケンス内の前記中央に配置されている時計文字盤の位置及び、時計文字盤の前記シーケンス内の時計文字盤の総数を示す、請求項１から２３のいずれか一項に記載の方法。
【請求項２５】
前記第１の時計文字盤が、アプリケーションを表すアフォーダンスを含み、前記接触が、前記タッチ感知ディスプレイ上の前記アプリケーションを表す前記アフォーダンス上での接触であり、前記方法が、
前記特徴的な強度が前記強度しきい値を超えていないという判定に従い、
前記アフォーダンスによって表される前記アプリケーションを起動することを更に含む、請求項１から２４のいずれか一項に記載の方法。
【請求項２６】
ディスプレイを備える電子装置に、請求項１から２５のいずれか一項に記載の方法を行わせるための命令を備えるコンピュータプログラム。
【請求項２７】
電子装置であって、
タッチ感知ディスプレイと、
１つ以上のプロセッサと、
命令を含む１つ以上のコンピュータプログラムを記憶するメモリと、を備え、
前記１つ以上のプロセッサは前記１つ以上のコンピュータプログラムに含まれる前記命令を実行することにより、前記電子装置に、請求項１から２５のいずれか一項に記載の方法を行わせる電子装置。
【請求項２８】
請求項１から２５のいずれか一項に記載の方法を行う手段を備える電子装置。